(57)【特許請求の範囲】
【請求項１】
添加物のバリエーションを有する複数種類の飲料を販売する自動販売機において、
前記複数種類の飲料の中で一の飲料が指定された場合、当該一の飲料を含む同一銘柄の複数の飲料を同一グループに分類するか、又は、当該一の飲料を含む添加物の条件が同一である異なる銘柄同士の複数の飲料を同一グループに分類する第１設定部と、
前記複数種類の飲料の中の各飲料が指定された場合、前記各飲料を対応する各グループに分類する第２設定部と、
前記第１設定部と前記第２設定部との設定出力を切り替える切替部と、
前記複数種類の飲料を販売する販売部と、
前記販売部からの前記飲料の販売数を計数する計数部と、
前記第１設定部又は前記第２設定部の設定出力に応じて設定されるグループエリアに対し、当該グループエリアに対応する前記飲料の販売数を記憶する記憶部と、
を備えたことを特徴とする自動販売機。
【請求項２】
前記切替部は、前記第１設定部と前記第２設定部との設定出力を切り替えるための操作キーからの切替指示に基づいて、前記第１設定部と前記第２設定部との設定出力を切り替えることを特徴とする請求項１に記載の自動販売機。
【請求項３】
前記操作キーは、前記複数種類の飲料の販売に関する条件を設定するためのリモートコントローラの入力キーであることを特徴とする請求項２に記載の自動販売機。
【請求項４】
前記操作キーは、自動販売機の操作パネルに設けられる商品選択釦であることを特徴とする請求項２に記載の自動販売機。
【請求項５】
添加物のバリエーションを有する複数種類の飲料を販売する自動販売機を制御するコンピュータに、
前記複数種類の飲料の中で一の飲料が指定された場合、当該一の飲料を含む同一銘柄の複数の飲料を同一グループに分類するか、又は、当該一の飲料を含む添加物の条件が同一である異なる銘柄同士の複数の飲料を同一グループに分類する第１設定機能と、
前記複数種類の飲料の中の各飲料が指定された場合、前記各飲料を対応する各グループに分類する第２設定機能と、
前記第１設定機能と前記第２設定機能とを切り替える切替機能と、
前記複数種類の飲料を販売する販売機能と、
前記飲料の販売数を計数する計数機能と、
前記切替機能により切り替えられる前記第１設定機能又は前記第２設定機能に応じて設定されるグループエリアに対し、当該グループエリアに対応する前記飲料の販売数を記憶する記憶機能と、
を実現させるためのプログラム。
【請求項６】
添加物のバリエーションを有する複数種類の飲料を販売する自動販売機を制御するコンピュータに、
前記複数種類の飲料の中で一の飲料が指定された場合、当該一の飲料を含む同一銘柄の複数の飲料を同一グループに分類するか、又は、当該一の飲料を含む添加物の条件が同一である異なる銘柄同士の複数の飲料を同一グループに分類する第１設定機能と、
前記複数種類の飲料の中の各飲料が指定された場合、前記各飲料を対応する各グループに分類する第２設定機能と、
前記第１設定機能と前記第２設定機能とを切り替える切替機能と、
前記複数種類の飲料を販売する販売機能と、
前記飲料の販売数を計数する計数機能と、
前記切替機能により切り替えられる前記第１設定機能又は前記第２設定機能に応じて設定されるグループエリアに対し、当該グループエリアに対応する前記飲料の販売数を記憶する記憶機能と、
を実現させるためのプログラムを記録したコンピュータ読み取り可能な記録媒体。
【発明の詳細な説明】
【技術分野】
【０００１】
本発明は、複数種類の商品の例えば販売数を所定のグループに分類するに際し、この所定のグループを設定するべく商品を指定可能な自動販売機、この自動販売機におけるコンピュータのプログラム、及び、このプログラムを記録した記録媒体に関する。
【背景技術】
【０００２】
自動販売機には、例えば、複数種類の商品の販売数を所定のグループごとに集計する機能を備えたものがある（例えば、特許文献１参照）。この所定のグループとは、例えば自動販売機により商品を販売するビジネスの場合、販売傾向等の情報を得たい商品の種類を予め１つにまとめておくことを意味する。例えば、コーヒー飲料を販売する自動販売機の場合、或る銘柄で種類の異なる複数のコーヒー飲料どうしを１つのグループとし、このグループに属する商品の総販売数を調べる。そして、各銘柄の販売数の推移を把握すれば、所謂売れ筋の銘柄がわかることになり、これは次のビジネスの展開等を決める上で重要な情報となり得る。このような集計のために、自動販売機には、例えば、商品の販売数を計数するカウンタ、このカウンタによる計数結果を所定のグループごとに記憶する記憶部、このグループを設定するためのキーボードを有するコントロールパネル等を備えたものがある。尚、以上のグループ化の目的は集計に限ったことではなく、例えば抽選機能を有する自動販売機がこの抽選対象の複数種類の商品を所定のグループに予めまとめておく場合等にも有効である。この場合の自動販売機は特にカウンタ等を必要としない。
【０００３】
図１１（ａ）、（ｂ）を参照しつつ、コーヒーのカップ飲料を販売するカップ式自動販売機を例に挙げて、前記のグループの分類のし方について説明する。図１１（ａ）は、カップ式自動販売機が販売するコーヒー飲料の分類のし方の一例を示す模式図である。また、図１１（ｂ）は、各グループにおける販売数の一例を示すヒストグラムである。図１１（ａ）の例示では、コーヒー飲料は３つの銘柄（「コーヒーＰ」、「コーヒーＱ」、「コーヒーＲ」）に分類されている。例えば「コーヒーＰ」のグループＰは、同じ銘柄のコーヒーに対し、クリーム及び砂糖を添加したもの（以後、「ＣＳ」と称する）、クリームのみを添加したもの（以後、「Ｃ」と称する）、砂糖のみを添加したもの（以後、「Ｓ」と称する）、及び、何も添加していない所謂ブラックコーヒー（以後、「Ｂ」と称する）により構成される。「コーヒーＱ」のグループＱ、「コーヒーＲ」のグループＲについても同様である。
【０００４】
このような分類を行うべく、例えばルートマンがコントロールパネルを通じて前記の記憶部に対してグループの設定をする場合について考える。ルートマンは、例えば、ディスプレイに表示されたグループＰの入力画面において、コーヒーＰのＣＳ、Ｃ、Ｓ、及びＢの飲料番号をそれぞれ個別に入力する。尚、グループＱ、Ｒについても同様である。カップ式自動販売機には、グループの設定動作等を司る制御部が、このような個別の入力に基づいて、例えば図１１（ａ）に例示されるグループの設定を実行するものがある。このようなカップ式自動販売機では、ルートマンは、コントロールパネルを通じて、複数のグループのそれぞれについて飲料番号を例えば４回入力することになる。
【０００５】
或いは、ルートマンが、前記の入力画面において、コーヒーＰのＣＳ、Ｃ、Ｓ、及びＢの飲料番号のうちの１つを入力すると、残りの３つの飲料番号が自動的に入力されるようなカップ式自動販売機もある。つまり、前述した制御部は、例えば各コーヒー飲料についてＣＳ、Ｃ、Ｓ、及びＢの情報を予め１つの商品群として紐付けしておくことにより、このような動作を実行できる。このカップ式自動販売機では、ルートマンは、コントロールパネルを通じて、複数のグループのそれぞれについて飲料番号を１回入力すれば済むことになる。
【０００６】
図１１（ｂ）に例示されるように、以上述べた分類により、カップ式自動販売機の商品の販売数は、複数種類の銘柄ごとに集計される。図１１（ｂ）の例示では、このカップ式自動販売機により商品を販売するものは、集計結果に基づいて、例えばコーヒーＱが他に比べて売れ筋商品であることを認識できる。
【特許文献１】特開２０００−１３７８５０号公報
【発明の開示】
【発明が解決しようとする課題】
【０００７】
ところで、前述したように、コントロールパネルの入力画面において、１つのグループに対し商品番号を個別設定可能な自動販売機の場合、例えばコーヒーの添加物等の４種類のバリエーションを繰り返し入力しなければならないため、グループの数が増えるほど、この入力に要するルートマンの作業量が増加する。よって、このような作業は、ルートマンに対する負荷が大きい。一方、前述したように、コントロールパネルの入力画面において、１つのグループに対し複数の商品番号を一括設定可能な自動販売機の場合、コーヒーの銘柄ではなく例えば添加物を基準に分類する等のバリエーションを集計に持たせることができなくなる。よって、例えば自動販売機により商品を販売するビジネスを行う（この自動販売機の）顧客に対し、顧客サービスが十分とはならない虞がある。これを、以下、具体的に説明する。
【０００８】
図１１（ｃ）を参照しつつ、例えばコーヒーの添加物を基準とする分類のし方について説明する。図１１（ｃ）は、カップ式自動販売機が販売するコーヒー飲料の分類のし方のもう一つの例を示す模式図である。また、図１１（ｄ）は、各グループにおける販売数のもう一つの例を示すヒストグラムである。図１１（ｃ）の例示では、コーヒー飲料は、苦み度が相対的に高い「苦いコーヒー」と、苦み度が相対的に低いコーヒーの銘柄別（「コーヒーＰ’」、「コーヒーＱ’」、「コーヒーＲ’」）と、に分類されている。苦いコーヒーのグループＢ’は、銘柄が異なる前述した３つのブラックコーヒーＢ、及び、前述したコーヒーＲのＣにより構成される。コーヒーＰ’のグループＰ’は、前述したコーヒーＰのＣＳ、Ｃ、及びＳにより構成され、コーヒーＱ’のグループＱ’は、前述したコーヒーＱのＣＳ、Ｃ、及びＳにより構成され、コーヒーＲ’のグループＲ’は、前述したコーヒーＲのＣＳ及びＳにより構成される。このような分類を行うべく、例えばルートマンがコントロールパネルを通じて前記の記憶部に対してグループの設定をする場合について考える。尚、図１１（ｄ）に例示されるヒストグラムの総和は、前述した図１１（ｂ）に例示されるヒストグラムの総和に等しくなっている。
【０００９】
前述した個別設定可能な自動販売機の場合、ルートマンは、例えばグループＢ’を設定するに際しＢを３回繰り返し入力しなければならない。この例では３回であるが、Ｂの個数が増えるほど、ルートマンに対してより負荷がかかる。一方、図１１（ｃ）の例示では、何れのグループもＣＳ、Ｃ、Ｓ、及びＢの４種類のバリエーションを全て有してはいないため、前述した一括設定可能な自動販売機では、ルートマンはグループの設定ができないことになる。つまり、集計にバリエーションがなくなる。
【００１０】
このような問題は、例えば前述した抽選機能を有する自動販売機における抽選対象のグループ化等、グループ化の目的が如何なる場合であっても生じる。
【００１１】
本発明は、かかる課題に鑑みてなされたものであり、その目的とするところは、複数種類の商品の様々なグループへの分類のし方が容易に設定可能な自動販売機、プログラム、及び記録媒体を提供することにある。
【課題を解決するための手段】
【００１２】
前記課題を解決するための発明は、複数種類の商品を販売する自動販売機であって、前記複数種類の商品の中で所定の商品群の一部である一商品が指定された場合、前記商品群を同一グループに分類する第１設定部と、前記複数種類の商品の一部である各商品が指定された場合、前記各商品を対応する各グループに分類する第２設定部と、前記第１設定部と前記第２設定部との設定出力を切り替える切替部と、を備えてなる。  
この自動販売機によれば、切替部を用いて、一商品の指定に対しこれを一部として含む所定の商品群を同一グループに分類することと、各商品の指定に対しこの各商品を各グループにそれぞれ分類することと、が相補的に可能となる。例えば、商品の販売数を集計するために分類する等、分類のし方に多様性がある場合でも、この様々な分類のし方に応じて切替部を切り替えることにより、複数種類の商品を効率良く分類できる。例えばルートマンは、商品を指定する作業に際し、グループの種類又はこのグループ内の商品の種類が増えても、この増加に伴う大きな負荷を受けにくくなる。
【００１３】
また、かかる自動販売機において、前記複数種類の商品を販売する販売部と、前記販売部からの前記商品の販売数を計数する計数部と、前記第１設定部又は前記第２設定部の設定出力に応じて設定されるグループエリアに対し、当該グループエリアに対応する前記商品の販売数を記憶する記憶部と、を更に備えたことが好ましい。  
この自動販売機によれば、グループエリアが例えば商品の販売数を集計するためのグループの分類に対応するものであれば、記憶部に記憶された情報に基づいて、例えば或るグループに属する商品の売れ筋等を分析するのに有用となる。
【００１４】
また、かかる自動販売機において、前記切替部は、前記第1設定部と前記第２設定部との設定出力を切り替えるための操作キーからの切替指示に基づいて、前記第１設定部と前記第２設定部との設定出力を切り替えることが好ましい。  
この自動販売機によれば、前述したルートマンは、操作キーを通じて切替指示を切替部に送信することにより、前述した２通りの分類を容易に切り替えることができる。
【００１５】
また、かかる自動販売機において、前記操作キーは、前記複数種類の商品の販売に関する条件を設定するためのリモートコントローラの入力キーであることが好ましい。  
この自動販売機によれば、前述したルートマンは、リモートコントローラの入力キーを通じて商品の販売に関する条件を設定するとともに、同じ入力キーの操作により、前述した設定出力のための操作をより効果的に実施できる。
【００１６】
また、かかる自動販売機において、前記操作キーは、自動販売機の操作パネルに設けられる商品選択釦であることが好ましい。  
この自動販売機によれば、前述したルートマンは、商品選択釦の操作により、前述した設定出力のための操作を、例えば自動販売機のフロントパネルから実施できるため、効率的である。
【００１７】
また、前記課題を解決するための発明は、複数種類の商品を販売する自動販売機を制御するコンピュータに、前記複数種類の商品の中で所定の商品群の一部である一商品が指定された場合、前記商品群を同一グループに分類する第１機能と、前記複数種類の商品の一部である各商品が指定された場合、前記各商品を対応する各グループに分類する第２機能とを、切り替える機能を実現させるためのプログラムである。  
このプログラムに基づいてコンピュータに制御されて前記切り替える機能を果たす自動販売機は、前述した２通りの分類の相補的な実行を可能とする。
【００１８】
また、前記課題を解決するための発明は、複数種類の商品を販売する自動販売機を制御するコンピュータに、前記複数種類の商品の中で所定の商品群の一部である一商品が指定された場合、前記商品群を同一グループに分類する第１機能と、前記複数種類の商品の一部である各商品が指定された場合、前記各商品を対応する各グループに分類する第２機能とを、切り替える機能を実現させるためのプログラムを記録したコンピュータ読み取り可能な記録媒体である。  
例えば前述した２通りの分類のうちの一方のみを実行するためのプログラムを記憶する書き込み可能なメモリを備えた自動販売機に対し、本発明の記録媒体に記録されたプログラムをインストールすれば、前述した２通りの分類の相補的な実行が可能となる。
【発明の効果】
【００１９】
一商品の指定に対しこれを一部として含む所定の商品群を同一グループに分類することと、各商品の指定に対しこの各商品を各グループにそれぞれ分類することと、が相補的に可能となる。
【発明を実施するための最良の形態】
【００２０】
＝＝＝自動販売機の構成＝＝＝
図１を参照しつつ、本実施の形態のカップ式自動販売機（自動販売機）１の構成例について説明する。同図は、本実施の形態のカップ式自動販売機１の外観構成例を示す正面図である。
【００２１】
前面扉２は、カップ式自動販売機１の側端部に軸支されて開閉するものであり、後述する販売条件の情報の入力や販売機構（販売部）１００（図２）のメンテナンス等を行うときは解錠して開き、通常販売を行うときは施錠して閉じるものである。接客パネル４は、複数種類のカップ飲料に関する写真、絵柄、文字等が印刷された樹脂板である。硬貨投入口６は、利用者が硬貨を投入する箇所であり、投入硬貨は、自動販売機内部の硬貨識別装置に供給される。紙幣挿入口８は、利用者が紙幣を挿入する箇所であり、挿入紙幣は、自動販売機内部の紙幣識別装置に供給される。金額表示部１０は、投入硬貨金額や挿入紙幣金額等を表示するものである。値段ラベル１２は、接客パネル４上で、複数種類のカップ飲料の写真、絵柄、文字等に一対一に対応して配置されるものである。商品選択釦１４は、販売可ランプ及び売切れランプを内蔵し、接客パネル４上で、複数種類のカップ飲料の写真、絵柄、文字等に一対一に対応して配置されるものである。粉末原料増量釦１６、砂糖増量釦１８、クリーム増量釦２０、粉末原料減量釦２２、砂糖減量釦２４、クリーム減量釦２６は、１杯のカップ飲料（例えば、コーヒー、紅茶等）に対する混合割合の変更を希望するとき、商品選択釦１４の押下前に押下するものである。嗜好表示部２８は、１杯のカップ飲料に対し、事前に設定された混合割合を基準とする粉末原料、砂糖、クリームの増減の度合を表示するものである。利用者が、粉末原料増量釦１６、砂糖増量釦１８、クリーム増量釦２０、粉末原料減量釦２２、砂糖減量釦２４、クリーム減量釦２６を必要に応じて押下し、その後、販売可ランプが点灯している商品選択釦１４を押下すると、この商品選択釦１４に対応するカップ飲料が自動販売機内部の販売機構１００で調理され、商品取出口３０から販売される。返却レバー３６は、投入硬貨自体、投入硬貨又は挿入紙幣からカップ飲料購入金額を減額した釣銭を返却口３８に返却するためのものである。販売中ランプ４０は、販売機構１００がカップ飲料を調理して販売できる状態のときに点灯するものである。販売中止ランプ４２は、全カップ飲料に対応する売切れランプが点灯したとき、或いは、販売機構１００が故障したとき、点灯するものである。釣銭切ランプ４４は、硬貨識別装置内部に貯蔵される釣銭用の硬貨の合計金額が一定金額以下となったときに点灯するものである。
【００２２】
図２を参照しつつ、本実施の形態のカップ式自動販売機１の販売機構１００の構成例について説明する。同図は、本実施の形態の販売機構１００におけるレギュラーコーヒーを販売する部分の概略構成例を示す模式図である。本実施の形態の販売機構１００は、主として、レギュラーコーヒー抽出装置１０１、湯タンク１０３、ミキシングボール１１７、砂糖容器１１９、及びクリーム容器１２１を備えて構成される。
【００２３】
レギュラーコーヒー抽出装置１０１は、挽き豆と湯とを収容するための所定のシリンダ、シリンダ内の空間を密閉するための所定のピストン、挽き豆と湯とからレギュラーコーヒーを濾過するための所定のフィルタ等を備えて構成される。また、このレギュラーコーヒー抽出装置１０１のシリンダの開口部には、所定の容器に収容されたコーヒー豆を挽くためのコーヒーミル１１１が隣接するように設けられている。このような構成により、レギュラーコーヒー抽出装置１０１は、コーヒーミル１１１から供給される挽き豆と、湯タンク１０３からポンプ１１３、電磁弁１１４、及び湯供給管１１５を通じて供給される湯とからレギュラーコーヒーを抽出し、電磁弁１０４を通じてコーヒー供給管１０５に供給するものである。ミキシングボール１１７は、ブラックのレギュラーコーヒーに対して、例えば、砂糖容器１１９から供給される砂糖及びクリーム容器１２１から供給される粉末状をなすクリームを混合するためのものである。尚、ミキシングボール１１７にて砂糖及びクリームと混合され調理された砂糖及びクリーム入りレギュラーコーヒーは、ミキシングボール１１７の下流に設けられた電磁弁１２３及び供給管１２５を通じてカップ１２７に供給されるようになっている。また、ブラックのレギュラーコーヒーも、ミキシングボール１１７、電磁弁１２３、及び供給管１２５を通じてカップ１２７に供給されるようになっている。
【００２４】
図３及び図４を参照しつつ、本実施の形態のカップ式自動販売機１の制御を司る部分の構成例について説明する。図３は、本実施の形態のカップ式自動販売機１の構成例を示すブロック図である。図４は、本実施の形態のカップ式自動販売機１のコントロールパネル２１１の外観構成例を示す模式図である。
【００２５】
図３に例示されるように、本実施の形態の主制御部（第１設定部、第２設定部、切替部）２０１は、カップ式自動販売機１の制御を統括するものであり、ＣＰＵ２０１ａ、ＲＯＭ２０１ｂ、ＲＡＭ（記憶部）２０１ｃ、及びカウンタ（計数部）２０１ｄを有するものである。即ち、この主制御部２０１はマイクロコンピュータを中心として動作する。ＣＰＵ２０１ａは、例えばＲＯＭ２０１ｂから読み出したプログラムの解読結果に基づいて、後述する複数の従制御部を統括制御するものである。ＲＡＭ２０１ｃは、例えば、ＣＰＵ２０１ａによる演算結果や、複数の従制御部からの各種データ等を記憶するものである。ハードウェア面では、ＲＯＭ２０１ｂは、データを製造工程で焼き付け固定するマスクＲＯＭ、データを紫外線消去することにより当該データを繰り返し書き込み読み出しできるＥＰＲＯＭ（フラッシュＲＯＭを含む）等の不揮発性メモリである。また、ＲＡＭ２０１ｃは、ＳＲＡＭ等の揮発性メモリであり、バックアップ電源を用いてデータを保持する。本実施の形態のＲＡＭ２０１ｃは、後述する、飲料の所定のグループごとの販売数を表わす販売数テーブル２０１１や、例えばコーヒーの銘柄や添加物等による複数種類のコーヒー飲料どうしの紐付けのし方を表わす紐付けテーブル２０１２等を更に記憶するものである。カウンタ２０１ｄは、販売機構１００により飲料が販売される都度インクリメントして、この飲料の販売数を計数するためのものである。
【００２６】
図３に例示されるように、本実施の形態の硬貨処理制御部２０２、紙幣処理制御部２０３、接客制御部２０４、販売制御部２０５、入出力制御部２０６は、主制御部２０１に対する複数の従制御部に相当する。硬貨挿入機構２０７は、硬貨処理制御部２０２により制御されて、釣銭切れを検出し、硬貨投入口６（図１）からの投入硬貨を受け取り、必要に応じて釣銭を返却口３８（図１）から返却する機能を有する。紙幣挿入機構２０８は、紙幣処理制御部２０３に制御されて、釣札切れを検出し、紙幣挿入口８（図１）からの挿入紙幣を受け取り、必要に応じて釣札を紙幣挿入口８から返却する機能を有する。硬貨処理制御部２０２及び紙幣処理制御部２０３は、硬貨投入および紙幣挿入が行なわれるその都度、処理動作を実行する。尚、先払いカード又は後払いカードを挿入するカード読み取り装置（不図示）を設けることによって、カップ飲料を販売できるようにしてもよい。
【００２７】
図３に例示されるように、本実施の形態の接客面（操作パネル）２０９は、金額表示部１０（図１）、嗜好表示部２８（図１）、商品選択釦１４（図１）、増量釦１６、１８、２０（図１）、減量釦２２、２４、２６（図１）、販売中ランプ４０（図１）、販売中止ランプ４２（図１）、及び釣銭切れランプ４４（図１）を備えて構成されるものである。接客制御部２０４は、接客面２０９を制御する。つまり、接客制御部２０４は、主制御部２０１からのカップ飲料販売に関する接客指示に従って、販売中ランプ４０、販売中止ランプ４２、釣銭切れランプ４４を点灯させたり、販売飲料別の販売可ランプ又は売切れランプを点灯させたり、更には、複数の商品選択釦１４の何れが押下されたのかを検出し、このときの検出信号を主制御部２０１に送信したりする。
【００２８】
図３に例示されるように、本実施の形態の販売制御部２０５は、図２に例示される販売機構１００を制御し、接客制御部２０４からの前記検出信号に応答した主制御部２０１からの販売指示に従って、利用者が所望するカップ飲料を調理して商品取出口３０（図１）で取り出し可能とするものである。例えば、ＲＡＭ２０１ｃに記憶された後述する販売条件に基づく主制御部２０１からの販売指示に基づいて、販売機構１００の例えばポンプ１１３、電磁弁１０４、１１４、１２３、前述したピストン（不図示）等が所定時期に所定時間だけ動作することによりレギュラーコーヒー等のカップ飲料を調理し販売するようになっている。
【００２９】
図４に例示されるように、本実施の形態のコントロールパネル（リモートコントローラ）２１１は、テンキー２１１０、頁・矢印キー２１１１、及び設定／順送りキー２１１２を備えて構成されるキーボード（操作キー、入力キー）２１１ａと、このキーボード２１１ａの操作に関する内容を表示する有機ＥＬやＬＣＤ等のディスプレイ２１１ｂとを前面に備えたものである。また、本実施の形態のコントロールパネル２１１は、入出力制御部２０６と有線で接続されるとともに、前面扉２（図１）の裏面に着脱自在に配設されて、後述するグループ化の設定、販売条件（販売に関する条件）の設定、金額設定、メンテナンス等を行なう際に操作するものである。本実施の形態の入出力制御部２０６は、キーボード２１１ａからの入力情報を主制御部２０１に送信するものである。主制御部２０１は、この入力情報に基づいて、硬貨処理制御部２０２、紙幣処理制御部２０３、接客制御部２０４、及び販売制御部２０５に対して、それぞれの指示を行なう。
【００３０】
尚、主制御部２０１と従制御部２０２乃至２０６との間の通信は、主制御部２０１が優先的な送信権を有するポーリング方式、又は、主制御部２０１及び従制御部２０２乃至２０６が対等な送信権を有するコンテンション方式の何れであってもよい。
【００３１】
＜＜＜各種テーブル＞＞＞
図５及び図６を参照しつつ、本実施の形態の主制御部２０１のＲＡＭ２０１ｃに記憶された、飲料の所定のグループごとの販売数のデータ、及び、コーヒー飲料どうしの紐付けのし方を示すデータの構成例について説明する。図５（ａ）は、本実施の形態の飲料の所定のグループごとの販売数である販売数テーブル２０１１の構成例を示す図表である。図５（ｂ）は、図５（ａ）に例示されるグループの分類に使用する、コーヒー飲料どうしの紐付けのし方を表わす紐付けテーブル２０１２ａの構成例を示す図表である。図６（ａ）は、本実施の形態の飲料の所定のグループごとの販売数である販売数テーブル２０１１’の構成例を示す図表である。図６（ｂ）は、図６（ａ）に例示される分類に使用する、コーヒー飲料どうしの紐付けのし方を表わす紐付けテーブル２０１２ｂの構成例を示す図表である。
【００３２】
図５（ａ）に例示されるように、本実施の形態のＲＡＭ２０１ｃは、飲料のグループ（「コーヒーＰ」、「コーヒーＱ」、「コーヒーＲ」等）に対し、前述したカウンタ２０１ｄで計数された飲料の販売数を対応付けて、販売数テーブル２０１１として記憶している。この販売数テーブル２０１１は、飲料のグループに対し、このグループを構成する複数種類の飲料を予め対応付けている。例えば、「コーヒーＰ」は、同じ銘柄のコーヒーに対し、クリーム及び砂糖を添加した「ＣＳ」、クリームのみを添加した「Ｃ」、砂糖のみを添加した「Ｓ」、及び、何も添加していない所謂ブラックコーヒー「Ｂ」により構成される。各飲料番号（「５０１」、「５０２」、「５０３」、「５０４」）は、例えばコーヒーの銘柄に対応する５００番台に対し、添加物のバリエーションが１番乃至４番の連番で付加されたものである。前述した販売機構１００がレギュラーコーヒーであるコーヒーＰのＣＳ、Ｃ、Ｓ、及びＢの何れかを販売する都度、主制御部２０１は、コーヒーＰに対応する数値をインクリメントするようになっている。但し、販売の都度インクリメントすることに限定されるものではなく、例えば一時的に所定のメモリ（不図示）に記憶した販売数を一括してＲＡＭ２０１ｃに記憶させてもよい。尚、販売数テーブル２０１１における「コーヒーＱ」、「コーヒーＲ」についても同様である。
【００３３】
図５（ｂ）に例示されるように、本実施の形態のＲＡＭ２０１ｃは、コーヒーの同じ銘柄について、前述した添加物のバリエーションである１番乃至４番を１つの商品群として紐付けて記憶している。このＲＡＭ２０１ｃは、コーヒーの銘柄ごとに、このような紐付けのし方を紐付けテーブル２０１２ａとして記憶している。例えば、コーヒーＰでは、ＣＳ、Ｃ、Ｓ、及びＢが５０１乃至５０４の連番で紐付けられている。
【００３４】
一方、図６（ａ）に例示される販売数テーブル２０１１’では、前述した分類のし方とは異なる飲料のグループ（「苦いコーヒー」、「コーヒーＰ’」、「コーヒーＱ’」、「コーヒーＲ’」等）に対し、カウンタ２０１ｄで計数された飲料の販売数が対応付けられている。例えば、「苦いコーヒー」は、異なる３つの銘柄の３つのブラックコーヒーＢと、前述したコーヒーＲ’に対してクリームのみを添加したＣと、により構成される。つまり、本実施の形態では、カップ式自動販売機１により飲料を販売するものが、例えば、苦み度の相対的に高いコーヒーについてその販売数を集計するという意図があり、クリーム及び砂糖の何れも添加していないが故に苦いとされるＢと、クリームは添加されているが予め経験的に苦いとされている前述したコーヒーＲのＣと、を１つのグループとしている。前述した販売機構１００がレギュラーコーヒーである苦いコーヒーの３つのＢ及びＣの何れかを販売する都度、主制御部２０１は、苦いコーヒーに対応する数値をインクリメントするようになっている。但し、販売の都度インクリメントすることに限定されるものではなく、例えば一時的に所定のメモリ（不図示）に記憶した販売数を一括してＲＡＭ２０１ｃに記憶させてもよい。
【００３５】
尚、販売数テーブル２０１１における「コーヒーＰ’」は、前述したコーヒーＰのＣＳ、Ｃ、及びＳにより構成されており、これは、砂糖又はクリームを添加しているが故に苦みが相対的に低いコーヒーＰを意味する。「コーヒーＱ’」についても同様である。「コーヒーＲ’」は、コーヒーＲにおける、前述したＣを除く、ＣＳ及びＳにより構成されており、これは、砂糖を添加しているが故に苦みが相対的に低いコーヒーＲを意味する。
【００３６】
図６（ｂ）に例示されるように、本実施の形態のＲＡＭ２０１ｃは、ブラックコーヒーＢについて、異なる３つの銘柄である５００番台、６００番台、及び７００番台を対応付けて、紐付けテーブル２０１２ｂとして記憶している。また、本実施の形態のＲＡＭ２０１ｃは、コーヒーの同じ銘柄について、前述した添加物のバリエーションである１番及び３番を紐付けて記憶している。具体的には、コーヒーＰ’では前述したコーヒーＰのＣＳ及びＳが５０１、５０３で紐付けられ、コーヒーＱ’では前述したコーヒーＱのＣＳ及びＳが６０１、６０３で紐付けられ、コーヒーＲ’では前述したコーヒーＲのＣＳ及びＳが７０１、７０３で紐付けられている。
【００３７】
＝＝＝第１、２設定部及び切替部の動作＝＝＝
図７乃至図１０を参照しつつ、本実施の形態のカップ式自動販売機１の主制御部２０１がグループの設定を行う動作について説明する。図７は、本実施の形態の主制御部２０１の処理の手順を示すフローチャートである。図８は、本実施の形態の主制御部２０１が後述する一括設定Ａの動作を実行する際のディスプレイ２１１ｂにおける表示例を示す模式図である。図９は、本実施の形態の主制御部２０１が後述する一括設定Ｂの動作を実行する際のディスプレイ２１１ｂにおける表示例を示す模式図である。図１０は、本実施の形態の主制御部２０１が後述する個別設定の動作を実行する際のディスプレイ２１１ｂにおける表示例を示す模式図である。
【００３８】
本実施の形態では、例えばカップ式自動販売機１から飲料を販売するビジネスを行う（このカップ式自動販売機１の）顧客が、コーヒー飲料の銘柄又は苦み度ごとにその販売数の推移を把握するべく各販売数の集計情報を得ることを目的としているものとする。そこで、例えば顧客の会社に所属するルートマンは、複数種類のコーヒー飲料を銘柄又は苦み度のグループに分類するために、コントロールパネル２１１を通じて情報を入力するものとする。但し、販売数の集計の目的は、上記に限定されるものではない。
【００３９】
先ず、ルートマンは、カップ式自動販売機１の前扉２を開けて、コントロールパネル２１１のキーボード２１１ａを通じて所定の入力を行い、飲料のグループを設定するための画面（紐付け選択用画面）をディスプレイ２１１ｂに表示させているものとする。
【００４０】
図７に例示されるように、ルートマンが飲料のグループを設定する指示を入力すると、主制御部２０１は、この情報を受信する（Ｓ１００：ＹＥＳ）。
【００４１】
図８（ａ）、図９（ａ）、及び図１０（ａ）の例示では、コントロールパネル２１１のディスプレイ２１１ｂ上に、グループを設定する際の例えば後述する３通りの紐付けのし方（「一括設定Ａ」、「一括設定Ｂ」、「個別設定」）を選択するための紐付け選択用画面が表示されている。本実施の形態では、各紐付けのし方に対して「０」又は「１」が対応しており、図８（ａ）の例示では、グループ化に際し「１」に該当する一括設定Ａが採用されており、図９（ａ）の例示では一括設定Ｂが採用されており、図１０（ａ）の例示では個別設定が採用されている。各画面がディスプレイ２１１ｂに表示された状態で、ルートマンが設定／順送りキー２１１２（図４）を押下すると、前述したステップＳ１００では、この紐付けのし方を示す情報を伴う入力信号が主制御部２０１に送信されるようになっている。但し、紐付け選択用画面における入力情報は、上記「０」又は「１」に限定されるものではなく、例えば、紐付けのし方に応じて異なる数字又は記号を予め決めておき、これを入力してもよい。
【００４２】
＜＜＜一括設定Ａの場合＞＞＞
本実施の形態の「一括設定Ａ」とは、同じコーヒーの銘柄について、添加物の異なる４種類を１つの商品群とするような設定のし方であり、前述した紐付けテーブル２０１２ａ（図５（ｂ））で表わされる紐付けに基づいて実行される設定動作を意味する。
【００４３】
図７に例示されるように、紐付けのし方に関する情報が一括設定Ａを示している場合（Ｓ１０１：一括Ａ）、主制御部２０１は、飲料番号入力用画面（図８（ｂ））を表示する（Ｓ２００）。図８（ｂ）の例示によれば、飲料番号入力用画面では、これから設定するグループを表わす「グループ１」がプロンプトとして表示されている。
【００４４】
図７に例示されるように、飲料番号が入力されると（Ｓ２０１：ＹＥＳ）、主制御部２０１は、この飲料番号がコーヒー飲料に該当するか否かを判別する（Ｓ２０２）。この判別には、飲料番号における例えば５００番台、６００番台、及び７００番台がコーヒー飲料を表わす等の対応付けが予め行われている必要がある。ステップＳ２０１：ＹＥＳにおける受信動作は、具体的には、ルートマンが、飲料番号入力用画面において例えば「５０１」と入力し（図８（ｃ））、この状態で設定／順送りキー２１１２を押下することにより、主制御部２０１が飲料番号「５０１」の情報を受信する動作である。
【００４５】
もし、図７に例示されるように、受信した飲料番号がコーヒー飲料に該当すると判別した場合（Ｓ２０２：ＹＥＳ）、主制御部２０１は、前述した紐付けテーブル２０１２ａ（図５（ｂ））を参照し、受信した飲料番号及び当該飲料番号と紐付けられた飲料番号を取得する。図５（ｂ）の例示では、受信した飲料番号「５０１」は、コーヒーＰのＣＳとして、他のＣ（「５０２」）、Ｓ（「５０３」）、及びＢ（「５０４」）と紐付けられているため、主制御部２０１は、これら４つの飲料番号を取得する（Ｓ２０３）。
【００４６】
図７に例示されるように、主制御部２０１は、ステップＳ２０３で取得した４つの飲料番号を、「コーヒーＰ」のグループとして、図５（ａ）に例示される販売数テーブル２０１１の「飲料」及び「番号」の欄の部分を形成する。具体的には、主制御部２０１は、ＲＡＭ２０１ｃにおける記憶領域において、この２つの欄に相当する領域（グループエリア）を確保する（Ｓ２０４）。
【００４７】
図７に例示されるように、主制御部２０１は、ステップＳ２０１：ＹＥＳで受信した飲料番号と紐付けられた飲料番号を飲料番号入力用画面に表示する（図８（ｄ））。図８（ｄ）の例示では、ルートマンが入力した飲料番号「５０１」の隣に３つの飲料番号「５０２」、「５０３」、及び「５０４」が表示されている。つまり、前述したように、ルートマンが飲料番号入力用画面に「５０１」を入力し（図８（ｃ））、設定／順送りキー２１１２を押下すると、同画面に「５０１」、「５０２」、及び「５０３」が自動的に表示される（Ｓ２０５）。
【００４８】
図７に例示されるように、ルートマンがグループ化を更に続ける旨の指示を入力すると（Ｓ２０６：ＹＥＳ）、主制御部２０１は、ディスプレイ２１１ｂに飲料番号入力用画面（図８（ｅ））を表示してステップＳ２００の動作を再度実行する。一方、ルートマンがグループ化を終了する旨の指示を入力すると（Ｓ２０６：ＮＯ）、主制御部２０１は、グループ化を終了する。具体的には、ルートマンが、図８（ｄ）に例示される飲料番号入力用画面で「エンド」に「０」を入力して設定／順送りキー２１１２を押下することが、グループ化を更に続ける旨の指示に対応し、「１」を入力して設定／順送りキー２１１２を押下することが、グループ化を終了する指示に対応する。また、図８（ｅ）に例示される飲料番号入力用画面は、ステップＳ２０６：ＹＥＳの更に継続する指示の後に表示される画面に対応する。但し、飲料番号入力用画面における入力情報は、上記「０」又は「１」に限定されるものではなく、例えば、継続又は終了に応じて異なる数字又は記号を予め決めておき、これを入力してもよい。
【００４９】
一方、ステップＳ２０１：ＹＥＳで受信した飲料番号がコーヒー飲料に該当しないと判別した場合（Ｓ２０２：ＮＯ）、主制御部２０１は、受信した飲料番号の情報と、当該飲料番号入力用画面のグループの情報とに基づいて、図５（ａ）に例示される販売数テーブル２０１１の「飲料」及び「番号」の欄の部分を形成し、ステップＳ２０６の動作を実行する。これは、ルートマンが入力した通りの情報に基づいて、販売数テーブル２０１１の「飲料」及び「番号」の欄の部分を形成する動作に等しい。
【００５０】
＜＜＜一括設定Ｂの場合＞＞＞
本実施の形態の「一括設定Ｂ」とは、苦み度が相対的に高い異なる銘柄のコーヒー、及び、苦み度が相対的に低い同一の銘柄のコーヒーの分類に有用な商品群を使用した設定のし方であり、前述した紐付けテーブル２０１２ｂ（図６（ｂ））で表わされる紐付けに基づいて実行される設定動作を意味する。
【００５１】
図７に例示されるように、紐付けのし方に関する情報が一括設定Ｂを示している場合（Ｓ１０１：一括Ｂ）、主制御部２０１は、飲料番号入力用画面（図９（ｂ））を表示する（Ｓ３００）。図９（ｂ）の例示によれば、飲料番号入力用画面では、これから設定するグループを表わす「グループ１」がプロンプトとして表示されている。
【００５２】
図７に例示されるように、飲料番号が入力されると（Ｓ３０１：ＹＥＳ）、主制御部２０１は、この飲料番号がコーヒー飲料に該当するか否かを判別する（Ｓ３０２）。この判別には、飲料番号における例えば５００番台、６００番台、及び７００番台がコーヒー飲料を表わす等の対応付けが予め行われている必要がある。ステップＳ３０１：ＹＥＳにおける受信動作は、具体的には、ルートマンが、飲料番号入力用画面において例えば「５０４」と入力し（図９（ｃ））、この状態で設定／順送りキー２１１２を押下することにより、主制御部２０１が飲料番号「５０４」の情報を受信する動作である。
【００５３】
もし、図７に例示されるように、受信した飲料番号がコーヒー飲料に該当すると判別した場合（Ｓ３０２：ＹＥＳ）、主制御部２０１は、前述した紐付けテーブル２０１２ｂ（図６（ｂ））を参照し、受信した飲料番号及び当該飲料番号と紐付けられた飲料番号を取得する。図６（ｂ）の例示では、受信した飲料番号「５０４」は、コーヒーＰのＢとして、他のコーヒーＱのＢ（「６０４」）及びコーヒーＲのＢ（「７０４」）と紐付けられているため、主制御部２０１は、これら３つの飲料番号を取得する（Ｓ３０３）。
【００５４】
図７に例示されるように、主制御部２０１は、ステップＳ３０３で取得した３つの飲料番号を、「苦いコーヒー」のグループとして、図６（ａ）に例示される販売数テーブル２０１１’の「飲料」及び「番号」の欄の部分を形成する。具体的には、主制御部２０１は、ＲＡＭ２０１ｃにおける記憶領域において、この２つの欄に相当する領域を確保する（Ｓ３０４）。
【００５５】
図７に例示されるように、主制御部２０１は、ステップＳ３０１：ＹＥＳで受信した飲料番号と紐付けられた飲料番号を飲料番号入力用画面に表示する（図９（ｄ））。図９（ｄ）の例示では、ルートマンが入力した飲料番号「５０４」の隣に２つの飲料番号「６０４」及び「７０４」が表示されている。つまり、前述したように、ルートマンが飲料入力用画面に「５０４」を入力し（図９（ｃ））、設定／順送りキー２１１２を押下すると、同画面に「６０４」及び「７０４」が自動的に表示される（Ｓ３０５）。
【００５６】
尚、図９（ｅ）に例示されるように、本実施の形態では、ルートマンは、図９（ｄ）に例示される飲料番号入力用画面に対し、コーヒーＲのＣに対応する飲料番号「７０２」を更に入力している。
【００５７】
図７に例示されるように、ルートマンがグループ化を更に続ける旨の指示を入力すると（Ｓ３０６：ＹＥＳ）、主制御部２０１は、ディスプレイ２１１ｂに飲料番号入力用画面（図９（ｆ））を表示してステップＳ３００の動作を再度実行する。一方、ルートマンがグループ化を終了する旨の指示を入力すると（Ｓ３０６：ＮＯ）、主制御部２０１は、グループ化を終了する。具体的には、ルートマンが、図９（ｅ）に例示される飲料番号入力用画面で「エンド」に「０」を入力して設定／順送りキー２１１２を押下することが、グループ化を更に続ける旨の指示に対応し、「１」を入力して設定／順送りキー２１１２を押下することが、グループ化を終了する指示に対応する。また、図９（ｆ）に例示される飲料番号入力用画面は、ステップＳ３０６：ＹＥＳの更に継続する指示の後に表示される画面に対応する。但し、飲料番号入力用画面における入力情報は、上記「０」又は「１」に限定されるものではなく、例えば、継続又は終了に応じて異なる数字又は記号を予め決めておき、これを入力してもよい。
【００５８】
一方、ステップＳ３０１：ＹＥＳで受信した飲料番号がコーヒー飲料に該当しないと判別した場合（Ｓ３０２：ＮＯ）、主制御部２０１は、受信した飲料番号の情報と、当該飲料番号入力用画面のグループの情報とに基づいて、図６（ａ）に例示される販売数テーブル２０１１’の「飲料」及び「番号」の欄の部分を形成し、ステップＳ３０６の動作を実行する。これは、ルートマンが入力した通りの情報に基づいて、販売数テーブル２０１１’の「飲料」及び「番号」の欄の部分を形成する動作に等しい。
【００５９】
＜＜＜個別設定の場合＞＞＞
図７に例示されるように、紐付けのし方に関する情報が個別設定を示している場合（Ｓ１０１：個別）、主制御部２０１は、飲料番号入力用画面（図１０（ｂ））を表示する（Ｓ４００）。図１０（ｂ）の例示によれば、飲料番号入力用画面では、これから設定するグループを表わす「グループ１」がプロンプトとして表示されている。
【００６０】
図７に例示されるように、飲料番号を受信すると（Ｓ４０１：ＹＥＳ）、主制御部２０１は、この飲料番号の情報と、当該飲料番号入力用画面のグループの情報とに基づいて、例えば前述した販売数テーブル２０１１、２０１１’の「飲料」及び「番号」の欄の部分を形成し、ステップＳ４０２の動作を実行する。これは、ルートマンが入力した通りの情報に基づいて、例えば販売数テーブル２０１１、２０１１’の「飲料」及び「番号」の欄の部分を形成する動作に等しい。図１０（ｃ）に例示されるように、飲料番号入力用画面には、ルートマンにより個別に入力された飲料番号が表示され、この状態で設定／順送りキー２１１２が押下されると、次のグループの入力を促す飲料番号入力用画面（図１０（ｄ））が表示される。図１０（ｄ）に例示される飲料番号入力用画面は、グループ化の継続又は終了に応じて「０」又は「１」を入力可能となっている。但し、これに限定されるものではなく、例えば、継続又は終了に応じて異なる数字又は記号を予め決めておき、これを入力してもよい。
【００６１】
＝＝＝グループ分類の容易性＝＝＝
本実施の形態のカップ式自動販売機１によれば、紐付け選択用画面（図８（ａ）、図９（ａ））において紐付けのし方を前述した一括設定（Ａ、Ｂ）とすることにより、飲料番号入力用画面における一商品の入力に対して、これに紐付けられた所定の商品群を同一グループに分類できる。一方、紐付け選択用画面（図１０（ａ））において紐付けのし方を前述した個別設定とすることにより、各商品の入力に対して、この各商品を各グループにそれぞれ分類できる。分類のし方に多様性がある場合、ルートマンは、この様々な分類のし方に応じた紐付けのし方を選択することにより、同一グループに分類するべき商品を、できるだけ商品群として入力することができる。また、前述した一括設定Ａ、Ｂ以外にも様々な紐付けのし方（即ち、紐付けテーブル２０１２）を予め準備しておけば、ルートマンによるグループ化の作業効率が向上する。例えば、ＣＳのみで複数の銘柄のコーヒーを紐付けてもよいし、同様に、Ｃのみ、Ｓのみ、又はＢのみで紐付けてもよい。或いは、ＣＳ、Ｃ、Ｓ、及びＢのうちの何れか２つ又は３つの組み合わせについて、コーヒーの銘柄にかかわらない紐付けのし方を採用してもよい。例えば、ＣＳ及びＣのみで複数の銘柄のコーヒーを紐付ければ、これはクリームが添加されているコーヒーを一括して入力する際に有用となる。これにより、ルートマンは、様々な分類を行うことが可能である上に、たとえグループの数が増えても、商品を指定する際には、これに伴う負荷を受けにくくなる。よって、複数種類の商品の様々なグループへの分類のし方が容易に設定可能なカップ式自動販売機１が提供できたことになる。本実施の形態のＲＡＭ２０１ｃに記憶された販売数テーブル２０１１、２０１１’に基づいて、例えば或るグループに属する商品の売れ筋等を分析することができる。また、前述した実施の形態では、一括設定はＡ及びＢの２通りあるが、これに限定されるものではなく、１通り又は３通り以上の何れであってもよい。
【００６２】
また、前述した実施の形態では、一括設定又は個別設定は、紐付け選択用画面（図８（ａ）、図９（ａ）、図１０（ａ））における入力操作により切り替えるものであったが、これに限定されるものではない。例えばコントロールパネル２１１のキーボード２１１ａに専用の操作キーを新たに設けて、この操作キーの押下により切り替えを行ってもよい。或いは、この操作キーに代えて、キーボード２１１ａの既存の入力キーにおける例えば何れか複数を同時に押下することとしてもよい。
【００６３】
また、前述した実施の形態では、コントロールパネル２１１を通じての入力によりグループ化の設定を行うものであったが、これに限定されるものではない。例えば入力の一部又は全部を、前述した接客面２０９における金額表示部１０（図１）や嗜好表示部２８（図１）等のディスプレイを参照しつつ、商品選択釦１４（図１）の操作により実施するものであってもよい。
【００６４】
例えば、接客パネル４（図１）において、或る銘柄のコーヒー飲料のＣＳ、Ｃ、Ｓ、及びＢそれぞれに商品選択釦１４が割り当てられ、これらが隣接して配置されている場合を考える。ここで、コントロールパネル２１１における前述した飲料番号の入力操作を、当該飲料番号に対応する商品選択釦１４の押下に代えれば、隣接する釦のうちの１つを押下して残りの３つを押下する手間を省くことができる。具体的には、コントロールパネル２１１における前述した切り替えの操作の後に、例えばＣＳの商品選択釦１４を押下することが、コントロールパネル２１１のキーボード２１１ａから「５０１」と入力する操作と等しくなるように、ＲＯＭ２０１ｂのプログラムを構築しておけばよい。
【００６５】
或いは、接客パネル４（図１）における幾つかの釦の組み合わせ操作が切り替えの操作となるようにＲＯＭ２０１ｂのプログラムを構築しておくことにより、切り替え及び飲料番号の入力の両方の操作を、接客パネル４における釦の押下のみにより実行することも可能である。ルートマンは、カップ式自動販売機１の前扉２でグループ化の設定ができるため、作業効率が向上する。
【００６６】
＝＝＝プログラム及び記録媒体＝＝＝
前述したステップＳ２００乃至Ｓ２０６又はステップＳ３００乃至Ｓ３０６における設定出力を行う機能（第１機能）と、前述したステップＳ４００乃至Ｓ４０２における設定出力を行う機能（第２機能）と、を切り替える機能（ステップＳ１００及びＳ１０１）を、主制御部（コンピュータ）２０１に実行させるためのプログラムが、本発明のプログラムに相当する。このプログラムは、例えば前述したＲＯＭ２０１ｂ（図３）に予め記憶されている。
【００６７】
また、例えば、上記のプログラムを記録したコンピュータ読み取り可能な、ＤＶＤやＣＤ等の光ディスク、又は、ＭＯやフロッピーディスク等の磁気ディスクが、本発明の記録媒体に相当する。或いは、本発明の記録媒体は、マスクＲＯＭやＥＰＲＯＭ（フラッシュＲＯＭを含む）等の不揮発性メモリを内蔵するカード等でもよい。例えば、従来の自動販売機が、前述した一括設定又は個別設定の一方のみを実行するためのプログラムを記憶する（書き込み可能な）ＲＯＭとともに、メモリカード等の所定の読み取り手段を備えたものである場合、本発明の記録媒体に記録されたプログラムにより従来のプログラムを更新すれば、この自動販売機で一括設定及び個別設定の切り替えが可能となる。
【００６８】
前述した発明の実施の形態は、本発明の理解を容易にするためのものであり、本発明を限定して解釈するためのものではない。本発明は、その趣旨を逸脱することなく変更、改良され得るとともに、本発明にはその等価物も含まれる。
【００６９】
前述した実施の形態では、商品をカップ飲料としたが、これに限定されるものではない。本発明の自動販売機は、前述したグループ化の必要な複数種類の商品を販売する自動販売機であればよい。このグループ化の目的も、集計に限ったことではなく、例えば抽選機能を有する自動販売機がこの抽選対象の複数種類の商品を所定のグループに予めまとめておく場合等であってよい。
【図面の簡単な説明】
【００７０】
【図１】本実施の形態のカップ式自動販売機の外観構成例を示す正面図である。
【図２】本実施の形態の販売機構におけるレギュラーコーヒーを販売する部分の概略構成例を示す模式図である。
【図３】本実施の形態のカップ式自動販売機の構成例を示すブロック図である。
【図４】本実施の形態のカップ式自動販売機のコントロールパネルの外観構成例を示す模式図である。
【図５】（ａ）は、本実施の形態の販売数テーブルの構成例を示す図表であり、（ｂ）は、（ａ）に例示されるグループの分類に使用する紐付けテーブルの構成例を示す図表である。
【図６】（ａ）は、本実施の形態の販売数テーブルの構成例を示すもう一つの図表であり、（ｂ）は、（ａ）に例示されるグループの分類に使用する紐付けテーブルの構成例を示すもう一つの図表である。
【図７】本実施の形態の主制御部の処理の手順を示すフローチャートである。
【図８】本実施の形態の主制御部が一括設定Ａの動作を実行する際のディスプレイの表示例を示す模式図である。
【図９】本実施の形態の主制御部が一括設定Ｂの動作を実行する際のディスプレイの表示例を示す模式図である。
【図１０】本実施の形態の主制御部が個別設定の動作を実行する際のディスプレイの表示例を示す模式図である。
【図１１】（ａ）は、カップ式自動販売機が販売するコーヒー飲料の分類のし方の一つの例を示す模式図であり、（ｂ）は、各グループにおける販売数の一つの例を示すヒストグラムであり、（ｃ）は、カップ式自動販売機が販売するコーヒー飲料の分類のし方のもう一つの例を示す模式図であり、（ｄ）は、各グループにおける販売数のもう一つの例を示すヒストグラムである。
【符号の説明】
【００７１】
１    カップ式自動販売機              １００  販売機構
２０１    主制御部                      ２０１ａ  ＣＰＵ
２０１ｂ  ＲＯＭ                        ２０１ｃ  ＲＡＭ
２０１ｄ  カウンタ                      ２０４  接客制御部
２０５    販売制御部                    ２０６  入出力制御部
２１１  コントロールパネル              ２１１ａ  キーボード
２１１ｂ  ディスプレイ                  ２０１１、２０１１’  販売数テーブル
２０１２、２０１２ａ、２０１２ｂ  紐付けテーブル
【図１】
0004835116.tif 000002
【図２】
0004835116.tif 000003
【図３】
0004835116.tif 000004
【図４】
0004835116.tif 000005
【図５】
0004835116.tif 000006
【図６】
0004835116.tif 000007
【図７】
0004835116.tif 000008
【図８】
0004835116.tif 000009
【図９】
0004835116.tif 000010
【図１０】
0004835116.tif 000011
【図１１】
0004835116.tif 000012